(57)【要約】【課題】熱交換器により生成されるドレン水を円滑に排出できるメインドレンパンを備えた空気調和機の室内機を提供すること。【解決手段】室内機本体と、室内機本体内に傾斜して配設された熱交換器１２と、熱交換器下面側に配設され、熱交換器から滴下するドレン水を受けるサブドレンパン１３と、サブドレンパン及び熱交換器の下側に配置され、熱交換器から流下するドレン水及びサブドレンパンが受けたドレン水を集溜して外部に排出するメインドレンパン１４と、メインドレンパン上方に熱交換器と対向して配設された送風機を有する空気調和機の室内機において、メインドレンパンはドレン水を受ける水受け部２０と、水受け部のドレン水を集溜して外部に排出する排出部からなり、水受け部は送風機側に向かうにつれて高く約２度傾斜し、傾斜方向上側には排出部に向かうにつれて徐除に拡幅する溝状の流路２３ａが形成される。【選択図】    図７
2004183979.tif 000002
【特許請求の範囲】
【請求項１】
室内機本体と、
この室内機本体の内部に傾斜して配設された熱交換器と、
この熱交換器の下面側に所定の距離を存してほぼ並行に配設され、上記熱交換器から滴下するドレン水を受けるサブドレンパンと、
このサブドレンパンおよび上記熱交換器の下側に配置され、熱交換器から流下するドレン水および上記サブドレンパンが受けたドレン水を集溜して外部に排出するメインドレンパンと、
このメインドレンパンの上方位置に上記熱交換器と対向して配設された送風機とを有する空気調和機の室内機において、
上記メインドレンパンは、ドレン水を受けるための水受け部と、
この水受け部のドレン水を集溜して外部に排出するための排出部とからなり、
上記水受け部は、上記送風機側に向かうにつれて高くなるよう傾斜しており、その傾斜方向上側位置には上記排出部側に向かうにつれて徐除に拡幅する流路が形成されていることを特徴とする空気調和機の室内機。
【請求項２】
上記流路は、上記水受け部に上記排出部側に向かうにつれて縮幅する凸リブを設けることによって形成されていることを特徴とする請求項１記載の空気調和機の室内機。
【発明の詳細な説明】
【０００１】
【発明の属する技術分野】
本発明は、天井取付け形の空気調和機の室内機に係り、特に熱交換器に生成されたドレン水を集溜して排出するドレンパンの構造に関する。
【０００２】
【従来の技術】
天井取付け形の空気調和機の室内機は、天井裏に埋設される室内機本体と、この室内機本体の下面開口部を遮蔽する化粧パネルを有し、化粧パネルだけが室内側に露出する構造となっている。そして、この化粧パネルには、熱交換空気を吹き出し案内する吹出口と、室内空気を吸い込む吸込口が形成されている。
【０００３】
この種の空気調和機においては、天井裏の設置スペースの関係上、室内機本体の高さを低く抑える必要がある。そのため、室内機本体内に配置される熱交換器は、吸込口側に傾斜して配置される構成となっている。
【０００４】
このため、上記熱交換器の下面側には、熱交換器から下方に落下するドレン水を受けるためのサブドレンパンが設けられている。このサブドレンパンは、上記熱交換器下面側に並行して配置されるとともに、上記熱交換器とサブドレンパンの下端部には熱交換器で生成されたドレン水を集溜させるためのメインドレンパンが設置されている。このメインドレンパンの吹出口側の上方位置には、上記熱交換器と対向して送風機が配設されている。
【０００５】
冷房運転により熱交換器に生成されたドレン水は、熱交換器を伝わって直接メインドレンパンに流下あるいは、その下面側に設けられたサブドレンパンに滴下し、サブドレンパンの下端部からメインドレンパンに滴下する。そして、メインドレンパンによって集溜された後、その一端部に設けられた排出部からドレンポンプなどの排出手段により排出される（例えば、特許文献１参照。）。
【０００６】
【特許文献１】
特開平９−２６１５４号公報。
【０００７】
【発明が解決しようとする課題】
ところで、上述した空気調和機の室内機によれば、メインドレンパンの吹出口側の部分は送風機と直接対向している。そのため、送風機を作動すると、メインドレンパンの吹出口側の部分は負圧になり易く、集溜したドレン水が吹出口側に引き付けられることで、排出部側に送られ難くなり停滞することがある。この場合、ドレン水の排出が円滑になされないため、水はけの悪さからメインドレンパンの底面にカビが生える原因となる。
【０００８】
本発明は、上記事情を鑑みてなされたものであって、その目的とするところは、熱交換器により生成されるドレン水を円滑に排出できるメインドレンパンを備えた空気調和機の室内機を提供することにある。
【０００９】
【課題を解決するための手段】
上記課題を解決し目的を達成するために、本発明の空気調和機の室内機は、室内機本体と、この室内機本体の内部に傾斜して配設された熱交換器と、この熱交換器の下面側に所定の距離を存してほぼ並行に配設され、上記熱交換器から滴下するドレン水を受けるサブドレンパンと、このサブドレンパンおよび上記熱交換器の下側に配置され、熱交換器から流下するドレン水および上記サブドレンパンが受けたドレン水を集溜して外部に排出するメインドレンパンと、このメインドレンパンの上方位置に上記熱交換器と対向して配設された送風機とを有する空気調和機の室内機において、上記メインドレンパンは、ドレン水を受けるための水受け部と、この水受け部のドレン水を集溜して外部に排出するための排出部とからなり、上記水受け部は、上記送風機側に向かうにつれて高くなるよう傾斜しており、その傾斜方向上側位置には上記排出部側に向かうにつれて徐除に拡幅する流路が形成されていることを特徴とする。
【００１０】
【発明の実施の形態】
以下、図面を参照しながら本発明の実施の形態を説明する。
【００１１】
図１は本発明の一実施の形態に係る空気調和機の室内機の構成を示す斜視図、図２は同実施の形態に係る室内機本体の構成を示す斜視図、図３は同実施の形態に係る空気調和機の室内機の構成を示す断面図、図４は同実施の形態に係る室内機本体の構成を示す下面図である。
【００１２】
図１に示す空気調和機の室内機は、室内機本体１０と、化粧パネル１００とから構成される。
【００１３】
図３に示すように、上記室内機本体１０は、下面開口部１１ａを備えた筐体１１を有する。この筐体１１は、天井板１に設けられた取付用開口部１ａより天井裏に設置されている。そして、上記筐体１１の下面開口部１１ａは、天井板１の室内Ｒ側に配置される化粧パネル１００によって遮蔽される。
【００１４】
この化粧パネル１００は、一側部に室内空気を吸い込むための吸込口１０１、他側部に熱交換空気を室内Ｒに吹き出すための吹出口１０２を備えている。
【００１５】
室内機本体１０内には、熱交換器１２が上記吸込口１０１側に傾斜して配置され、この熱交換器１２の下面側にはサブドレンパン１３が所定の距離を存して並行に配置されている。
【００１６】
上記吸込口１０１と吹出口１０２との間には、長皿状のメインドレンパン１４が室内機本体１０の長手方向に向けて設けられている。このメインドレンパン１４には、熱交換器１２とサブドレンパン１３の下端部が設置され、熱交換器１２の冷却作用によって生成されたドレン水が集溜される。
【００１７】
メインドレンパン１４の幅方向（図３中左右方向）の一端部は、吹出口１０２側に突出しており、その突出端はノーズ部１５を形成している。そして、このノーズ部１５上方に送風機１６が配置され、吹出口１０２との間は、吹き出し流路１７を形成している。
【００１８】
また、室内機本体１０内の上記化粧パネル１００の吸込口１０１と対向する位置には、電気集塵機１８が配置されている。
【００１９】
この電気集塵機１８は、一端部が筐体１１の側面部に取付け固定され、他端部が上記メインドレンパン１４に取付け固定される集塵機支持ベース１９に固定されており、吸込口１０１から導入された室内空気中の塵埃を静電作用により引き付ける。
【００２０】
上記熱交換器１２は、狭小の間隙を存して並設された多数枚のアルミフィンに複数のパイプを挿通したフィンドチューブ式熱交換器でなり、全体として蛇行状の冷媒流路を構成している。
【００２１】
次にメインドレンパン１４の構成について詳細に説明する。
【００２２】
図５は同実施の形態に係るメインドレンパン１４の上面側を示す斜視図、図６は同実施の形態に係るメインドレンパン１４の下面側を示す斜視図、図７は図３のメインドレンパン部分を拡大して示す断面図、図８は図７の要部を拡大して示す断面図である。
【００２３】
図５に示すメインドレンパン１４は、裏面の結露を防止するため、上面を防水性の樹脂材で形成し、その裏面に断熱発泡材を被覆した構造をなし、上方から流下するドレン水を受けるための水受け部２０と、この水受け部２０の長手方向の一端部に設けられ、水受け部２０で集溜されたドレン水を集めて貯留し外部に排出させるための排出部２１とから構成される。
【００２４】
この排出部２１は、水受け部２０より導かれるドレン水が貯留されるように容器形状を成し、この中に強制排出用のドレンポンプ（不図示）が設置され、貯留されたドレン水をこの水受け部２０から排出する構成となっている。
【００２５】
図５および図７に示すように、上記水受け部２０には、長手方向に沿って複数、本実施の形態では２つの凸リブ２２ａ、２２ｂが一体に形成されている。これら凸リブ２２ａ、２２ｂの隣には、長手方向に沿って複数、本実施の形態では３つのドレン水が流れる断面凹状の流路２３ａ、２３ｂ、２３ｃが形成される。
【００２６】
中央に形成される流路２３ｂには、中央部に長手方向に沿って凹状排水溝を構成させ、また吸込口１０１側の流路２３ｃは、上記流路２３ｂの凹状排水溝の深さと略同様の深さの溝を構成させ、排出部２１側へ水が流れ易くなるように構成している。
【００２７】
また、中央に形成される流路２３ｂと吹出口１０２側の流路２３ａは、内面が上記吹出口１０２側に向かうにつれて高くなるよう所定角度、本実施の形態では約２度で傾斜している。すなわち、集溜したドレン水をメインドレンパン１４の吸込口１０１側に集中して溜めることで、水受け部２０から排出部２１側へのドレン水の流れを円滑にして、排出部２１のドレンポンプを作動した際に円滑な排出がなされるようにしている。
【００２８】
また、上記水受け部２０の上記吹出口１０２側の凸リブ２２ａは、図８に示すように、排出部２１側に向かうにつれて徐除に縮幅しており、流路２３ａとの交差部分３０は排出部２１側に向かうにつれて曲率半径Ｒが拡大するような円弧面状となっている。
【００２９】
すなわち、凸リブ２２ａの吹出口１０２側に形成された流路２３ａは、排出部２１側に向かうにつれて徐除に拡幅している。そのため、ドレン水がメインドレンパン１４の長手方向に対してほぼ均一に滴下した場合、流路２３ａ内のドレン水の水面レベルは排出部２１側に向かうにつれて低下する。
【００３０】
その結果、流路２３ａ内に集溜されたドレン水は、上記水面レベルの差による圧力差で排出部２１側に流れることになる。
【００３１】
メインドレンパン１４の下面には、図６に示すように、複数、この実施の形態では２つのネジボス２４、２４（取り付け部）が設けられている。これらネジボス２４、２４は、メインドレンパン水受け部２０を形成する樹脂材により一体に形成されたものであり、その先端部はメインドレンパン１４の下面に露出する。
【００３２】
そして、これら２つのネジボス２４、２４には、上述したように、電気集塵機１８を取り付けるための集塵機支持ベース１９が、図４に示すように、ネジ２５によって固定される。
【００３３】
また、図５に示すように、メインドレンパン１４のノーズ部１５の両端部には、それぞれ凹部１５ａが形成されている。
【００３４】
上記構成の空気調和機の室内機においては、冷房運転によって熱交換器１２に生成されたドレン水は、熱交換器１２のフィンを伝わって直接メインドレンパン１４に流下あるいは、その下面側に設けられたサブドレンパン１３に滴下し、サブドレンパン１３の下端部からメインドレンパン１４に滴下する。そして、メインドレンパン１４によって集溜された後、ドレンポンプによって排出される。
【００３５】
上記構成の空気調和機の室内機によれば、メインドレンパン１４の水受け部２０の流路２３ａ、２３ｂを吹出口１０２側に向かうにつれて高くなるよう約２度で傾斜させている。
【００３６】
そのため、集溜したドレン水をメインドレンパン１４の吸込口１０１側の流路２３ｂ、２３ｃ側に集中して溜めることができるから、ドレンポンプを作動した際に、水受け部２０内のドレン水を円滑に排出することができる。
【００３７】
また、メインドレンパン１４の水受け部２０において、吹出口１０１側の流路２３ａを排出部２１側に向かうにつれて拡幅するように形成している。
【００３８】
そのため、流路２３ａ内のドレン水の水面レベルを排出部２１側に向かうにつれて低下させることができるから、この水面レベルの差による圧力差でドレン水を排出部２１側に排出することができる。その結果、ドレン水が流路２３ａ内に停滞するのを防止できるから、カビの発生を抑えることができる。
【００３９】
また、メインドレンパン１４のノーズ部１５の両端部に凹部１５ａを形成している。
【００４０】
そのため、ノーズ部１５の両端部における気流抵抗が低減されるから、吹出口１０２両端部における風量低下が抑制され、吹出口１０２両端部で生じ易い気流の乱れを防止できる。
【００４１】
さらに、メインドレンパン１４の下面に水受け部２０を形成する樹脂材により電気集塵機１８を取り付ける集塵機支持ベース１９用のネジボス２４を一体に形成している。
【００４２】
そのため、メインドレンパン１４を製造する際、上記集塵機支持ベース１９を固定するために、板金等を裏面に被覆する断熱発泡材に埋め込む工程が不要となるから、製造工程を簡単化することができる。
【００４３】
【発明の効果】
本発明によれば、熱交換器により生成されるドレン水を円滑に排出することができる。
【図面の簡単な説明】
【図１】本発明の一実施の形態に係る空気調和機の室内機の構成を示す斜視図。
【図２】同実施の形態に係る室内機本体の構成を示す斜視図。
【図３】同実施の形態に係る空気調和機の室内機の構成を示す断面図。
【図４】同実施の形態に係る室内機本体の構成を示す下面図。
【図５】同実施の形態に係るメインドレンパンの上面側を示す斜視図。
【図６】同実施の形態に係るメインドレンパンの下面側を示す斜視図。
【図７】図３のメインドレンパン部分を拡大して示す断面図。
【図８】図７の要部を拡大して示す断面図。
【符号の説明】
１０…室内機本体、
１２…熱交換器、
１３…サブドレンパン、
１４…メインドレンパン、
１６…送風機、
２０…水受け部、
２１…排出部、
２２ａ、２２ｂ…凸リブ、
２３ａ、２３ｂ、２３ｃ…流路。
【図１】
2004183979.tif 000003
【図２】
2004183979.tif 000004
【図３】
2004183979.tif 000005
【図４】
2004183979.tif 000006
【図５】
2004183979.tif 000007
【図６】
2004183979.tif 000008
【図７】
2004183979.tif 000009
【図８】
2004183979.tif 000010